(57)【要約】【課題】ＩＣカードを使用して、改札口のゲートを通過すると、該ＩＣカードに対応する携帯電話番号と携帯事業者とから携帯電話利用が好ましくない場所での通信を抑止する。【解決手段】予め登録された通信抑止サービス契約者情報（ＩＣカード番号、携帯電話番号および携帯電話事業者）をもとに該当ユーザがＩＣカードを用いて自動改札機を入退出した通過情報を検知するステップと、自動改札制御装置から該当ユーザの携帯事業者へ入退出の情報を通知するステップと、携帯事業者内の携帯電話ネットワークでは入場の場合は端末に対し位置登録要求抑止信号を送信し、端末は以降の位置登録および発信処理を抑止するステップを含む。【選択図】図１
2009130523.tif 000002
【特許請求の範囲】
【請求項１】
ＩＣカードとの連携による携帯電話通信抑止方法であって、
ＩＣカードによる自動改札機の入退出通過情報を受信し通信抑止サービス契約者の有無を判定するステップと、
自動改札機制御装置から携帯電話事業者の中継サーバへ通信抑止サービス契約者の予め登録されている識別記号と入退出情報からなる通信抑止情報を通知するステップと、
前記中継サーバ経由で受信した通信抑止情報をもとに携帯電話ネットワーク上の加入者管理データベースに該当ユーザの通信抑止情報を保持するステップと、
前記通信抑止情報が入場の場合は携帯端末に対し位置登録要求抑止信号を送信し、前記通信抑止情報が退場の場合は位置登録処理を行い携帯端末に対し位置登録完了信号を送信するステップと、
前記端末は前記位置登録要求抑止信号の受信にて以降の位置登録および発信処理を抑止し、前記位置登録完了信号の受信にて通信可能状態に復帰登録するステップと、
を含むことを特徴とする携帯電話通信抑止方法。
【請求項２】
通信抑止サービス契約者情報と自動改札機位置情報を格納する通信抑止サービス契約者情報データベースと、
ＩＣカードによる自動改札機の入退出通過情報を受信し、前記通信抑止サービス契約者情報データベースに記録された通信抑止サービス契約者の有無を判定する手段と、
携帯電話事業者の中継サーバへ通信抑止サービス契約者の電話番号、入退出情報および前記自動改札機位置情報を通知する手段と、
を有することを特徴とする自動改札機制御装置。
【請求項３】
携帯電話ネットワークから位置登録抑止要求の受信にて、端末装置内メモリの通信抑止フラグをＯＮに設定するとともに端末画面の通信抑止中を表すアイコンを表示する手段と、
携帯電話ネットワークから位置登録完了通知の受信にて、端末装置内メモリの通信抑止フラグをＯＦＦに設定するとともに端末画面の通信抑止中を表すアイコンを消去する手段と、
を有することを特徴とする携帯端末。
【発明の詳細な説明】
【技術分野】
【０００１】
本発明は、携帯電話通信抑止方法、自動改札機制御装置および携帯端末に関し、特にＰＡＳＭＯ，Ｓｕｉｃａなどの乗車用ＩＣカードやＥＴＣカードとの連携により、携帯電話の利用が好ましくない場所での通信を抑止する通信抑止制御方法および関連通信装置（自動改札機制御装置および携帯端末）として用いると好適である。
【背景技術】
【０００２】
通常、携帯電話端末が移動した際には、より良い通信を行うために「位置登録」を行っている。これは主に、あらかじめ決められた位置エリアを跨いだ際に実施されている。
【０００３】
ところが、電車等で多くの人が同時に移動を行った場合、各々が所有する携帯電話端末も位置エリアを同時に跨ぐこととなり、結果、一斉に「位置登録要求」を移動通信網に対し行うこととなる。結果、通信網の輻輳を招いてしまうこととなる。（通信料金の発生しない位置登録処理が、音声通話等の通常の通信に大きな影響を与えてしまう。）
一方、公衆マナー的にも電車等の中では電源を切っておく（通信電波を発しない状態にしておく）ことが望ましいが、大多数のユーザはマナーモード設定までで留めてしまっているのが現状ある。
【０００４】
従来の無線通信システムは、例えば、電波送信の規制されている特定の場所への出入り口に無線基地局装置を設置し、そこから発する電波によって端末の通信を抑止する発明が知られている。（例えば、特許文献１参照）
別の従来技術では、車を運転中に携帯電話機本体の使用を確実に抑止するために、自動車に携帯電話の電源状態を制御する装置を設置し、エンジン始動時に端末の通信を抑止する発明が知られている。（例えば、特許文献２参照）
更に、別の従来技術では、携帯電話端末を利用して料金計算を行う電子決済システムにおいて、ユーザが課金状態中に通信制限モードを維持したかを電子決済システム側に知らせ、モバイルマナーを守ったユーザに対する評価を電子決済システム側に蓄積することを可能とする発明が知られている。（例えば、特許文献３参照）
【特許文献１】特開２００６−５４５０号公報
【特許文献２】特開２００１−１９７５５６号公報
【特許文献３】特開２００７−６８０３１号公報
【発明の開示】
【発明が解決しようとする課題】
【０００５】
しかしながら、従来技術（特許文献１および特許文献２）においては、入退場の監視および端末の通信抑止制御のために、新たな装置を設ける必要があり、あまり利用されていないのが現状である。さらに、電車などに適用する場合は、各駅の各改札口、もしくは、各車両の各出入り口等に多数設置する必要があり、現実的ではなかった。
【０００６】
別の従来技術（特許文献３）においては、自動改札口の通過（通信用抑止エリアへの入退場）を検知した携帯電話機のＩＣカード機能部が、その情報を携帯電話機機能部に通知し、通信の抑止制御を行う。そのため、携帯電話機内部での両機能の連携が必須のため、ＩＣカード機能を持たない携帯電話機への適用は不可能であった。
【０００７】
本発明は、ＩＣカード（ＰＡＳＭＯ，Ｓｕｉｃａ等）を使用して、改札口のゲートを通過すると、該ＩＣカードに対応する携帯電話番号と携帯事業者とから携帯電話利用が好ましくない場所での通信を抑止することができるＩＣカードとの連携による携帯電話機の制御装置及びその方法を提供することを目的とする。
【課題を解決するための手段】
【０００８】
上記課題を解決するための第１の発明は、ＩＣカードとの連携による携帯電話通信抑止方法であって、ＩＣカードによる自動改札機の入退出通過情報により通信抑止サービス契約者の有無を判定するステップと、自動改札機制御装置から携帯電話事業者の中継サーバへ通信抑止サービス契約者の識別記号と入退出情報からなる通信抑止情報を通知するステップと、前記中継サーバ経由で受信した通信抑止情報をもとに携帯電話ネットワーク上の加入者管理データベースに該当ユーザの通信抑止情報を保持するステップと、前記通信抑止情報が入場の場合は携帯端末に対し位置登録要求抑止信号を送信し、前記通信抑止情報が退場の場合は位置登録処理を行い携帯端末に対し位置登録完了信号を送信するステップと、
前記携帯端末は前記位置登録要求抑止信号の受信にて以降の位置登録および発信処理を抑止し、前記位置登録完了信号の受信にて通信可能状態に復帰登録するステップを含む。
【０００９】
この第１の発明によれば、同一の列車に乗車する多数の携帯電話端末によるバースト的な位置登録要求を抑止でき、それに必要なリソースが削減できるのみならず、ユーザにおいては、通信が好ましくない場所での端末操作が不要となり、鉄道会社にとっても、社内での携帯電話利用が減り、電車利用者の満足度を向上できる携帯電話通信抑止方法を提供できる。
【００１０】
第２の発明は、通信抑止サービス契約者情報と自動改札機位置情報を格納する通信抑止サービス契約者情報データベースと、ＩＣカードによる自動改札機の入退出通過情報を受信し、前記通信抑止サービス契約者情報データベースに記録された通信抑止サービス契約者の有無を判定する手段と、携帯電話事業者の中継サーバへ通信抑止サービス契約者の電話番号、入退出情報および前記自動改札機位置情報を通知する手段を有する自動改札機制御装置である。
【００１１】
この第２の発明によれば、鉄道会社の発行するＩＣカードとの連携により携帯電話通信抑止サービス契約者の自動改札機の通過を認識できる自動改札制御装置を提供できる。
【００１２】
第３の発明は、携帯電話ネットワークから位置登録抑止要求の受信にて、端末装置内メモリの通信抑止フラグをＯＮに設定するとともに端末画面の通信抑止中を表すアイコンを表示する手段と、携帯電話ネットワークから位置登録完了通知の受信にて、端末装置内メモリの通信抑止フラグをＯＦＦに設定するとともに端末画面の通信抑止中を表すアイコンを消去する手段を有する携帯端末である。
【００１３】
この第３の発明によれば、通信が好ましくない場所での、電源ＯＮ・ＯＦＦ、マナーモード設定の端末操作が不要になる携帯端末を提供できる。
【発明の効果】
【００１４】
以上、本発明の携帯電話通信抑止方法および携帯電話通信抑止制御装置によれば、ユーザ、携帯電話事業者、鉄道会社はそれぞれ以下のような利点が生まれる。
（１）ユーザの利点
（1-1）通信が好ましくない場所での、電源ＯＮ・ＯＦＦ、マナーモード設定のための端末操作が不要になる。
【００１５】
(1-2) 通信が抑止された時間に応じて、割引特典を受けることができる。
（２）携帯電話事業者の利点
(2-1）バースト的な位置登録要求を軽減することができ、それに必要なリソースが削減できる。空いたリソースは通信料が発生する音声通話等に利用できるため、通信料収入が増加する。
（３）鉄道会社の利点
(3-1）電車内での携帯電話利用が減り、電車利用者の満足度が向上する。
【００１６】
(3-2）携帯電話が発する電波による各種機器への影響が軽減される。
【００１７】
(3-3）本発明を利用するためにはＩＣカードが必須であるため、ＩＣカード利用者が増える。結果、紙の切符等の経費が削減できる。
【発明を実施するための最良の形態】
【００１８】
以下、本発明の実施の形態について、図を参照しながら説明する。
【００１９】
図１は、本発明の一実施形態におけるＩＣカードとの連携による携帯電話通信制御の説明図である。同図を用いて携帯電話通信制御の手順を説明する。
【００２０】
（１）ＩＣカード２を所有するユーザＡが、このＩＣカード２を使用して通信可能エリアと駅構内の通信抑止エリアとの間を自動改札機３を介して入退場する状況を鉄道会社内ネットワーク４上に設けられた自動改札制御装置４１に通知する。
【００２１】
（２）自動改札制御装置４１に接続された通信抑止サービス契約者情報データベース４２は、各ユーザのＩＣカード番号、携帯電話番号および携帯事業者の情報を保持しており、通信抑止サービス契約の有無を判定する。
【００２２】
（３）自動改札制御装置４１は、携帯電話事業者内ネットワーク５上の通信抑止情報中継サーバ５１へ電話番号と入場・退場の情報を通知する。
【００２３】
（４）通信抑止情報中継サーバ５１は、入場であれば通信抑止を指示し、退場であれば通信抑止解除を指示する。
【００２４】
（５）携帯電話ネットワーク６上の交換機６１は、入場であれば加入者管理データベース６３の各ユーザの通信抑止フラグをＯＮに、退場であればＯＦＦに設定する。
【００２５】
（６）基地局６２は、抑止エリアへの入場であればユーザＡの端末１１に対し、「位置登録要求抑止」信号を送信し、退場であれば自動改札機３の位置情報をもとに網主導で位置登録処理を行い、処理完了後、ユーザＡの端末１１に対し「位置登録完了通知」信号を送信する。
【００２６】
（７）ユーザＡの端末１１は、入場であれば端末メモリ１１１内の通信抑止フラグをＯＮ（抑止する）に設定し、以降の位置登録および発信処理を抑止する。退場であれば、網からの「位置登録完了通知」信号を受信した際に、同フラグをＯＦＦにし、通信可能状態に復帰する。
【００２７】
図２は、本発明の一実施形態におけるユーザと鉄道会社間のサービス利用契約の説明図である。同図において、ユーザＡは鉄道会社との間で通信抑止サービス利用契約の締結を行う。契約時にユーザＡは、ＩＣカード番号、携帯電話番号および携帯電話事業者の情報を鉄道会社に開示する。鉄道会社はユーザＡの情報を通信抑止サービス契約者情報データベース４２に登録する。
【００２８】
図３は、本発明の一実施形態における通信抑止サービス契約者情報データベースの構成図である。同図に示されるように、通信抑止サービス契約者情報データベースには、ＩＣカード番号と携帯電話番号および携帯電話事業者の情報がそれぞれ登録される。
【００２９】
図４は、本発明の一実施形態における自動改札機位置情報データベースの構成図である。同図に示されるように、自動改札機位置情報データベースには、自動改札機識別番号および自動改札機の設置位置を示す緯度と経度がそれぞれ登録される。
【００３０】
図５は、本発明の一実施形態における鉄道会社内ネットワークの構成図である。同図において、自動改札機３はＩＣカード読取り機能部３１、ＩＣカード書き込み機能部３２および自動改札制御機能部３３で構成され、自動改札制御装置４１は、自動改札監視機能部４１１、通信抑止制御機能部４１２で構成されるとともに、通信抑止サービス契約者情報データベース４２と自動改札位置情報データベース４３を有する。
【００３１】
自動改札機３からは、自動改札機を通過したＩＣカード情報が自動改札制御装置４１へ伝達され、自動改札制御装置４１からは、該当ユーザが契約している携帯電話事業者の中継サーバヘ電話番号、抑止・抑止解除の種別および位置情報（解除の場合）を伝達する。
【００３２】
図６は、本発明の一実施形態における携帯電話事業者内ネットワークの構成図である。通信抑止情報中継サーバ５１は、通信抑止指示伝達機能部５１１と抑止情報受信機能部５１２を有し、交換機６１は、呼制御機能部６１１と位置登録機能部６１２を有し、ユーザ毎の加入者管理情報を記憶する加入者管理情報データベース６３内には、通信抑止状態識別テーブル６３１を設け、この通信抑止状態識別テーブル６３１内へ通信抑止フラグ、抑止開始時間および通信抑止積算時間他が格納される。更に、ユーザＡの端末１１は、通信抑止フラグを備えた端末内メモリ１１１、発信機能部１１２および位置登録機能部１１３を有する。
【００３３】
図７は、本発明の一実施形態における通信抑止エリアへの入場時の自動改札制御装置の処理フローチャートである。図１を参照しながら、図７の動作を以下に説明する。
【００３４】
Ｓ１． ユーザＡは、ＩＣカード２を使用して自動改札機３を通過し、通信抑止エリアへ入場する。
【００３５】
Ｓ２．自動改札制御装置４１は、ＩＣカード番号をキーとして通信抑止サービス契約者情報データベース４２を検索する。
【００３６】
Ｓ３．自動改札制御装置４１は、通信抑止サービス契約者情報データベース４２にＩＣカード番号が登録されているか判断する。
【００３７】
Ｓ４．上記Ｓ３にて、登録されていなかった場合、処理を終了する。
【００３８】
Ｓ５．上記Ｓ３にて、登録されている場合、通信抑止サービス契約者情報データベース４２から読み出した、携帯電話事業者の通信抑止情報中継サーバ５１に対して通信抑止情報（「携帯電話番号」と「通信抑止種別」）を送信する。
【００３９】
Ｓ６．処理を終了する。
【００４０】
図８は、本発明の一実施形態における通信抑止エリアへの入場時の通信抑止情報中継サーバの処理フローチャートである。図１と図６を参照しながら、図８の動作を以下に説明する。
【００４１】
Ｓ７． ユーザＡの通信抑止エリアへの入場により、通信抑止情報中継サーバ５１の抑止情報受信機能部５１２は、自動改札制御装置４１から通信抑止指示を受信する。
【００４２】
Ｓ８．送信されてきた携帯電話番号が自社の契約者か否かを判定する。
【００４３】
Ｓ９．上記Ｓ８にて、自社の加入者でない場合、処理を終了する。
【００４４】
Ｓ１０．上記Ｓ８にて、自社の加入者の場合、自社の携帯電話ネットワーク６内の交換機６１に対し通信抑止指示伝達機能部５１１から通信抑止指示を伝達し、交換機６１に付随するユーザ毎の加入者管理機情報データベース６３の該当ユーザの通信抑止状態識別テーブル６３１から「通信抑止フラグ」を読み出す。
【００４５】
Ｓ１１．通信抑止フラグがＯＦＦであるか否かを判断する。
【００４６】
Ｓ１２．上記Ｓ１１にて、ＯＮの場合、既に抑止状態であるため処理終了する。
【００４７】
Ｓ１３．上記Ｓ１１にて、ＯＦＦの場合、交換機６１の位置登録機能部６１２に対して「位置登録抑止」信号をユーザＡの端末１１１に送信するよう指示を出す。
【００４８】
Ｓ１４．処理を終了する。
【００４９】
図９は、本発明の一実施形態における通信抑止エリアへの入場時の交換機の処理フローチャートである。図１と図６を参照しながら、図９の動作を以下に説明する。
【００５０】
Ｓ１５．ユーザＡの通信抑止エリアへの入場により、交換機６１の位置登録機能部６１２は、通信抑止情報中継サーバ５１から「位置登録抑止要求」を受信する。
【００５１】
Ｓ１６．交換機６１は、基地局６２を経由してユーザＡの端末１１に対し「位置登録抑止要求」を送信する。
【００５２】
Ｓ１７．正常に「位置登録抑止要求」を送信できたか否かを判断する。
【００５３】
Ｓ１８．上記Ｓ１７にて、正常に送信できなかった場合、処理を終了する。
【００５４】
Ｓ１９．上記Ｓ１７にて、正常に送信できた場合、交換機６１に付随するユーザ毎の加入者管理情報データベース６３の該当ユーザの通信抑止状態識別テーブル６３１の「通信抑止フラグ」をＯＮに設定する。
【００５５】
Ｓ２０．現時刻を「抑止開始時刻」として通信抑止状態識別テーブ６３１に設定する。
【００５６】
Ｓ２１．処理を終了する。
【００５７】
図１０は、本発明の一実施形態における通信抑止エリアへの入場時の端末の処理フローチャートである。図１と図６を参照しながら、図１０の動作を以下に説明する。
【００５８】
Ｓ２２．ユーザＡの通信抑止エリアへの入場により、ユーザＡの端末１１は、携帯電話ネットワーク６から「位置登録抑止要求」を受信する。
【００５９】
Ｓ２３．端末内メモリ１１１の通信抑止フラグをＯＮに設定する。
【００６０】
Ｓ２４．端末画面に通信抑止中を表すアイコンを表示する。
【００６１】
Ｓ２５．処理を終了する。
【００６２】
図１１は、本発明の一実施形態における通信抑止エリアへの入場時の端末の位置登録処理フローチャートである。図１と図６を参照しながら、図１１の動作を以下に説明する。
【００６３】
Ｓ２６．位置登録エリアを跨いだり、ユーザＡの端末電源ＯＦＦ⇒ＯＮにより、位置登録が開始される。
【００６４】
Ｓ２７．端末内メモリ１１１の通信フラグを読み出す。
【００６５】
Ｓ２８．抑止フラグがＯＮか否かを判断する。
【００６６】
Ｓ２９．上記Ｓ２８にて、抑止フラグがＯＦＦの場合、ユーザＡの端末１１は、通常の位置登録処理を実行する。
【００６７】
Ｓ３０．上記Ｓ２９にて、抑止フラグがＯＮの場合、処理を終了する。
【００６８】
図１２は、本発明の一実施形態における通信抑止エリアへの入場時の端末の発信処理フローチャートである。図１と図６を参照しながら、図１２の動作を以下に説明する。
【００６９】
Ｓ３１．ユーザＡの端末１１が発信のために端末キー操作を行ったことにより、ユーザＡの端末１１は、発信処理を開始する。
【００７０】
Ｓ３２．ユーザＡの端末１１は、端末内メモリ１１１の通信抑止フラグを読み出す。
【００７１】
Ｓ３３．通信抑止フラグがＯＮか否かを判断する。
【００７２】
Ｓ３４．上記Ｓ３３にて、通信抑止フラグがＯＦＦの場合、ユーザＡの端末１１は、通常の発信処理を行う。
【００７３】
Ｓ３５．上記Ｓ３３にて、通信抑止フラグがＯＮの場合、ユーザＡの端末１１は、処理を終了する。
【００７４】
図１３は、本発明の一実施形態における通信抑止エリアへの入場時の交換機の着信処理フローチャートである。図１と図６を参照しながら、図１３の動作を以下に説明する。
【００７５】
Ｓ３６．発信側の交換機（同一の場合もあり）から着信要求が来た場合に交換機６１は、着信処理を開始する。
【００７６】
Ｓ３７．交換機６１は、着信者の加入者管理情報データベース６３から通信抑止フラグを読み出す。
【００７７】
Ｓ３８．通信抑止フラグがＯＮか否かを判断する。
【００７８】
Ｓ３９．上記Ｓ３８にて、通信抑止フラグがＯＦＦの場合、交換機６１は、通常の着信処理を行う。
【００７９】
Ｓ４０．上記Ｓ３８にて、通信抑止フラグがＯＮの場合、交換機６１は、着信者であるユーザＡの端末１１が電源ＯＦＦであった場合と同等の処理（ガイダンス＋留守電話サービスに接続など）を行う。
【００８０】
図１４は、本発明の一実施形態における通信抑止エリアからの退場時の位置登録処理の説明図である。同図において、通信抑止エリアから自動改札機３を通過し退場した際に、その情報を鉄道会社内ネットワーク４から携帯電話ネットワーク６へ伝達し通信の抑止を解除する。この際、ユーザＡの端末１１は、位置登録が行われていない状態であるため、携帯電話ネットワーク６のみではユーザＡの端末１１の位置を特定することができないが、自動改札機３の位置は基本的に固定であるため、その位置情報を元に網主導での位置登録処理を行い、通常通り、通信が可能な状態にする。
【００８１】
図１５は、本発明の一実施形態における通信抑止エリアからの退場時の自動改札制御装置の処理フローチャートである。図１、図６および図１４を参照しながら、図１５の動作を以下に説明する。
【００８２】
Ｓ４１．ユーザＡの端末１１が通信抑止エリアから退場する。
【００８３】
Ｓ４２．ＩＣカード番号をキーとして通信抑止サービス契約者情報データベース４２を検索する。
【００８４】
Ｓ４３．通信抑止サービス契約者情報データベース４２にＩＣカード番号が登録されているか判断する。
【００８５】
Ｓ４４．上記Ｓ４３にて、登録されていなかった場合、処理を終了する。
【００８６】
Ｓ４５．上記Ｓ４３にて、登録されている場合、自動改札機識別番号をキーとして、自動改札機位置情報データベース４３から自動改札機３の緯度・経度を取得する。
【００８７】
Ｓ４６．自動改札機位置情報データベース４３から読み出した携帯電話事業者の通信抑止中継サーバ５１に対して、携帯電話番号、通信抑止種別および位置情報（経度・緯度）を送信する。
【００８８】
Ｓ４７．処理を終了する。
【００８９】
図１６は、本発明の一実施形態における通信抑止エリアからの退場時の通信抑止情報中継サーバの処理フローチャートである。図１、図６および図１４を参照しながら、図１６の動作を以下に説明する。
【００９０】
Ｓ４８． ユーザＡの端末１１が通信抑止エリアからの退場により、通信抑止情報中継サーバ５１は、自動改札制御装置４１から通信抑止解除情報指示を受信する。
【００９１】
Ｓ４９．送信されてきた携帯電話番号が自社の契約者か否かを判定する。
【００９２】
Ｓ５０．上記Ｓ４９にて、自社の加入者でない場合、処理を終了する。
【００９３】
Ｓ５１．上記Ｓ４９にて、自社の加入者の場合、交換機６１に付随するユーザ毎の加入者管理機情報データベース６３の該当ユーザの通信抑止状態識別テーブル６３１の「通信抑止フラグ」を読み出す。
【００９４】
Ｓ５２．通信抑止フラグがＯＮであるか否かを判断する。
【００９５】
Ｓ５３．上記Ｓ５２にて、ＯＦＦの場合、既に抑止解除状態であるため処理を終了する。
【００９６】
Ｓ５４．上記Ｓ５２にて、ＯＮの場合、送られてきた位置情報（経度・緯度）からユーザの現在位置の位置登録エリアを判別し、交換機６１へ通信抑止解除情報（携帯電話番号、通信抑止種別「抑止解除」および位置情報（位置登録エリアコード)を送る。
【００９７】
Ｓ５５．処理を終了する。
【００９８】
図１７は、本発明の一実施形態における通信抑止エリアからの退場時の交換機の処理フローチャートである。図１、図６および図１４を参照しながら、図１７の動作を以下に説明する。
【００９９】
Ｓ５６．ユーザＡの端末１１が通信抑止エリアからの退場により、交換機６１の位置登録機能部６１２は、通信抑止情報中継サーバ５１から「通信抑止解除指示」を受信する。
【０１００】
Ｓ５７．通信抑止情報中継サーバ５１から送られてきた位置情報を元にユーザＡの端末１１の位置登録を実施完了後、ユーザＡの端末１１に位置登録完了通知を送信する。
【０１０１】
Ｓ５８．該当ユーザの加入者管理情報の「通信抑止フラグ」をＯＦＦに設定する。
【０１０２】
Ｓ５９．「抑止開始時刻」と現時刻との差分を(通信抑止積算時間)に加算する。
【０１０３】
Ｓ６０．処理を終了する。
【０１０４】
図１８は、本発明の一実施形態における通信抑止エリアからの退場時の端末の処理フローチャートである。図１、図６および図１４を参照しながら、図１８の動作を以下に説明する。
【０１０５】
Ｓ６１．ユーザＡの端末１１が通信抑止エリアからの退場により、ユーザＡの端末１１は、携帯電話ネットワーク６から「位置登録完了通知」を受信する。
【０１０６】
Ｓ６２．端末内メモリ１１１の通信抑止フラグをＯＦＦに設定する。
【０１０７】
Ｓ６３．端末画面に通信抑止中を表すアイコンを消去する。
【０１０８】
Ｓ６４．処理を終了する。
【０１０９】
図１９は、本発明の一実施形態における通信抑止解除の端末の処理フローチャートである。図１、図６および図１４を参照しながら、図１９の動作を以下に説明する。
【０１１０】
Ｓ６５．ユーザＡによる端末キー操作により通信抑止解除が開始される。
【０１１１】
Ｓ６６．端末内メモリ１１１の通信抑止フラグをＯＦＦに設定する。
【０１１２】
Ｓ６７．ユーザＡの端末１１は通常の位置登録処理を実行する。
【０１１３】
Ｓ６８．端末画面の通信抑止中を表すアイコンを消去する。
【０１１４】
Ｓ６９．処理を終了する。
【０１１５】
図２０は、本発明の一実施形態における端末キー操作による通信抑止解除の交換機の処理フローチャートである。図１、図６および図１４を参照しながら、図２０の動作を以下に説明する。
【０１１６】
Ｓ７０．何らかの理由でユーザＡが通信抑止解除の端末キー操作を行ったことで、交換機６１は、ユーザＡの端末１１から位置登録要求を受信する。
【０１１７】
Ｓ７１．交換機６１は、位置登録処理を実行し、ユーザＡの端末１１へ位置登録完了通知を送信する。
【０１１８】
Ｓ７２．交換機６１は、加入者管理情報データベース６３からユーザＡの通信抑止フラグを読み出す。
【０１１９】
Ｓ７３．通信抑止フラグがＯＮであるか否かを判断する。
【０１２０】
Ｓ７４．上記Ｓ７３にて、ＯＦＦの場合、既に抑止解除状態であるため処理を終了する。
【０１２１】
Ｓ７５．上記Ｓ７３にて、ＯＮの場合、加入者管理情報データベース６３のユーザＡの通信抑止フラグをＯＦＦ:抑止しないに設定する。
【０１２２】
Ｓ７６．「抑止開始時刻」と現時刻の差分を「通信抑止積算時間」に加算する。
【０１２３】
Ｓ７７．処理を終了する。
【０１２４】
以上の実施例を含む実施形態に関し、更に以下の付記を開示する。
【０１２５】
（付記１）  ＩＣカードとの連携による携帯電話通信抑止方法であって、ＩＣカードによる自動改札機の入退出通過情報を受信し、通信抑止サービス契約者の有無を判定するステップと、自動改札機制御装置から携帯電話事業者の中継サーバへ通信抑止サービス契約者の識別記号と入退出情報からなる通信抑止情報を通知するステップと、前記中継サーバ経由で受信した通信抑止情報をもとに携帯電話ネットワーク上の加入者管理データベースに該当ユーザの通信抑止情報を保持するステップと、前記通信抑止情報が入場の場合は携帯端末に対し位置登録要求抑止信号を送信し、前記通信抑止情報が退場の場合は位置登録処理を行い携帯端末に対し位置登録完了信号を送信するステップと、前記携帯端末は前記位置登録要求抑止信号の受信にて以降の位置登録および発信処理を抑止し、前記位置登録完了信号の受信にて通信可能状態に復帰登録するステップと、を含むことを特徴とする携帯電話通信抑止方法。
【０１２６】
（付記２）  付記１記載の携帯電話通信抑止方法であって、前記入退出通過情報は、通信抑止サービス契約者情報と自動改札機位置情報であることを特徴とする携帯電話通信抑止方法。
【０１２７】
（付記３）  付記２記載の携帯電話通信抑止方法であって、前記通信抑止サービス契約情報は、ＩＣカード番号、携帯電話番号および携帯電話事業者名であることを特徴とする携帯電話通信抑止方法。
【０１２８】
（付記４）  付記２記載の携帯電話通信抑止方法であって、前記自動改札機位置情報は、自動改札機の設置された位置を示す経度と緯度であることを特徴とする携帯電話通信抑止方法。
【０１２９】
（付記５）  付記１記載の携帯電話通信抑止方法であって、前記加入者管理データベース上には少なくとも通信抑止フラグを含む通信抑止状態識別テーブルを有することを特徴とする携帯電話通信抑止方法。
【０１３０】
（付記６）  通信抑止サービス契約者情報と自動改札機位置情報を格納する通信抑止サービス契約者情報データベースと、ＩＣカードによる自動改札機の入退出通過情報を受信し、前記通信抑止サービス契約者情報データベースに記録された通信抑止サービス契約者の有無を判定する手段と、携帯電話事業者の中継サーバへ通信抑止サービス契約者の電話番号、入退出情報および前記自動改札機位置情報を通知する手段と、を有することを特徴とする自動改札機制御装置。
【０１３１】
（付記７）  ネットワーク経由で送られてくる通信抑止情報または解除情報を受信し、自社の加入者か否かを判断する手段と、該当ユーザの加入者管理情報データベースから通信抑止フラグを読み出す手段と、前記通信抑止フラグのＯＦＦ状態検出で交換機の位置登録機能部に対し通信抑止指示を伝達する手段と、を有することを特徴とする通信抑止情報中継サーバ。
【０１３２】
（付記８）  通信抑止状態識別テーブルを有するユーザ毎の加入者管理情報データベースと、ネットワーク経由で送られてくる通信登録抑止要求の指示を受信し、該当端末に対し位置登録抑止要求を送信する手段と、該当ユーザの前記通信抑止状態識別テーブルの通信抑止フラグをＯＮに設定するとともに、抑止開始時刻を設定する手段と、を有することを特徴とする交換機。
【０１３３】
（付記９）  携帯電話ネットワークから位置登録抑止要求の受信にて、端末装置内メモリの通信抑止フラグをＯＮに設定するとともに端末画面の通信抑止中を表すアイコンを表示する手段と、携帯電話ネットワークから位置登録完了通知の受信にて、端末装置内メモリの通信抑止フラグをＯＦＦに設定するとともに端末画面の通信抑止中を表すアイコンを消去する手段と、を有することを特徴とする携帯端末。
【産業上の利用可能性】
【０１３４】
本発明は、ＰＡＳＭＯ，Ｓｕｉｃａなどの乗車用ＩＣカードやＥＴＣカードとの連携により、携帯電話の利用が好ましくない場所での通信を抑止する通信抑止制御方法および関連通信装置（自動改札機制御装置、通信抑止情報中継サーバ、交換機および携帯端末）において、利用できる。
【図面の簡単な説明】
【０１３５】
【図１】本発明の一実施形態におけるＩＣカードとの連携による携帯電話通信制御の説明図である。
【図２】本発明の一実施形態におけるユーザと鉄道会社間のサービス利用契約の説明図である。
【図３】本発明の一実施形態における通信抑止サービス契約者の情報データベースの構成図である。
【図４】本発明の一実施形態における自動改札機位置情報データベースの構成図である。
【図５】本発明の一実施形態における鉄道会社内ネットワークの構成図である。
【図６】本発明の一実施形態における携帯電話事業者内ネットワークの構成図である。
【図７】本発明の一実施形態における通信抑止エリアへの入場時の自動改札制御装置のフローチャートである。
【図８】本発明の一実施形態における通信抑止エリアへの入場時の通信抑止情報中継サーバの処理フローチャートである。
【図９】本発明の一実施形態における通信抑止エリアへの入場時の交換機の処理フローチャートである。
【図１０】本発明の一実施形態における通信抑止エリアへの入場時の端末の処理フローチャートである。
【図１１】本発明の一実施形態における通信抑止時の端末の位置登録処理フローチャートである。
【図１２】本発明の一実施形態における通信抑止エリアへの入場時の端末の発信処理フローチャートである。
【図１３】本発明の一実施形態における通信抑止エリアへの入場時の端末の着信処理フローチャートである。
【図１４】本発明の一実施形態における通信抑止エリアからの退場時の位置登録処理の説明図である。
【図１５】本発明の一実施形態における通信抑止エリアからの退場時の自動改札制御装置の処理フローチャートである。
【図１６】本発明の一実施形態における通信抑止エリアからの退場時の通信抑止情報中継サーバの処理フローチャートである。
【図１７】本発明の一実施形態における通信抑止エリアからの退場時の交換機の処理フローチャートである。
【図１８】本発明の一実施形態における通信抑止エリアからの退場時の端末の処理フローチャートである。
【図１９】本発明の一実施形態における通信抑止解除の端末の処理フローチャートである。
【図２０】本発明の一実施形態における端末キー操作による通信抑止解除の交換機の処理フローチャートである。
【符号の説明】
【０１３６】
１      ユーザＡ
１１    ユーザＡの端末
１１１  端末内メモリ
１１２  発信機能部
１１３  一登録機能部
２      ＩＣカード
３      自動改札機
４      鉄道会社内ネットワーク
４１    自動改札制御装置
４２    通信抑止サービス契約者情報データベース
５      携帯事業者内ネットワーク
５１    通信抑止情報中継サーバ
６      携帯電話ネットワーク
６１    交換機
６２    基地局
６３    加入者管理情報データベース
６３１  通信抑止状態識別テーブル
【図１】
2009130523.tif 000003
【図２】
2009130523.tif 000004
【図３】
2009130523.tif 000005
【図４】
2009130523.tif 000006
【図５】
2009130523.tif 000007
【図６】
2009130523.tif 000008
【図７】
2009130523.tif 000009
【図８】
2009130523.tif 000010
【図９】
2009130523.tif 000011
【図１０】
2009130523.tif 000012
【図１１】
2009130523.tif 000013
【図１２】
2009130523.tif 000014
【図１３】
2009130523.tif 000015
【図１４】
2009130523.tif 000016
【図１５】
2009130523.tif 000017
【図１６】
2009130523.tif 000018
【図１７】
2009130523.tif 000019
【図１８】
2009130523.tif 000020
【図１９】
2009130523.tif 000021
【図２０】
2009130523.tif 000022